(57)【要約】【課題】  誘導加熱調理器の実装性を高め、吸気口からの水の浸入に対しても安全性が高く、低騒音化が実現できる送風構造を提供する。【解決手段】  本体上面にトッププレートを配し、トッププレートの下方に誘導加熱コイルを配し、誘導加熱コイルを駆動する電子基板と、誘導加熱コイルと電子基板を冷却するファンとを本体内部に配し、ファンを、吸込口、羽根車、吹出口、ケーシング、ファンモータからなるターボファンで構成し、ファンの吸込口と吹出口の方向をファンの軸方向と一致する方向に配置し、吹出口は複数個あり、その下流側に電子基板を配置する構成とし、ファンの駆動によって吸込口に導かれた冷却風は、ファンモータにより駆動される羽根車によって運動量を与えられ、羽根車内で９０度流れの方向を偏向した後、ケーシング内でさらに９０度流れの方向を偏向し、複数個の吹出口から電子基板に供給される誘導加熱調理器。【選択図】図５
2008251545.tif 000002
【特許請求の範囲】
【請求項１】
本体の上面に被加熱容器を載置するトッププレートを配し、このトッププレートの下方に誘導加熱コイルを配し、該誘導加熱コイルを駆動する電子基板と、前記誘導加熱コイルと前記電子基板を冷却するファンとを本体内部に配した誘導加熱調理器において、
前記ファンを、吸込口、羽根車、吹出口、ケーシング、ファンモータからなるターボファンで構成し、前記ファンの吸込口と吹出口の方向をファンの軸方向と一致する方向に配置し、前記吹出口は複数個あり、その下流側に電子基板を配置する構成とし、
前記ファンの駆動によって前記吸込口に導かれた冷却風は、前記ファンモータにより駆動される前記羽根車によって運動量を与えられ、前記羽根車内で９０度流れの方向を偏向した後、前記ケーシング内でさらに９０度流れの方向を偏向し、複数個の前記吹出口から電子基板に供給されることを特徴とする誘導加熱調理器。
【請求項２】
請求項１において、
前記電子基板のうち発熱の大きい部品を前記複数の吹出口の下流に集中して配置したことを特徴とする誘導加熱調理器。
【請求項３】
請求項１または２のいずれかにおいて、
前記複数の吹出口の少なくとも一つは前記誘導加熱コイルにダクトを介して導くよう構成したことを特徴とする誘導加熱調理器。
【請求項４】
請求項１乃至３のいずれかにおいて、
前記ファンモータは少なくともその一部を前記羽根車内部に内蔵させたことを特徴とする誘導加熱調理器。
【発明の詳細な説明】
【技術分野】
【０００１】
本発明は誘導加熱調理器に関するものである。
【背景技術】
【０００２】
誘導加熱調理器は、誘導加熱コイルに高周波電流を流して発生する磁力線が、金属製の鍋を通過するときに鍋底に生じる渦電流によるジュール加熱を利用して加熱調理を行う装置である。加熱時には鍋だけでなく、誘導加熱コイルや誘導加熱コイルを制御する電子基板などからも発熱が生じるため、ファンを用いて通風冷却が行われている。
【０００３】
従来の誘導加熱調理器の通風構造は、軸流ファンや多翼ファンを用いて吸気口から吸気した冷却風を電子基板に通風し、さらに誘導加熱コイルに通風するものである。こうした通風構造の例として、特許文献１や特許文献２で開示された例がある。
【０００４】
【特許文献１】特開２００４−３９２６３号公報（第９頁、図２）
【特許文献２】特開２００２−１１０３２９号公報（第６頁、図１）
【発明の開示】
【発明が解決しようとする課題】
【０００５】
近年、誘導加熱調理器は調理時間の短縮などの要請から、より高出力化される傾向がある。また、使用する鍋の種類に関しても、高効率で加熱できる鉄鍋だけでなく、加熱効率の下がる非磁性ステンレス鍋でも使用されるようになっている。
【０００６】
前述したように、特許文献１に開示された誘導加熱調理器における送風構造の例は、軸流ファンにより吸気口から吸入した冷却風を電子基板と誘導加熱コイルに通風するものである。誘導加熱調理器は本体内部の機器の実装密度が高いため、通風抵抗が大きく、図２に示すように動作点が締切点に近くなり、軸流ファンを用いた場合には騒音が大きくなるという課題があった。
【０００７】
また、特許文献２に開示された誘導加熱調理器における送風構造の例は、横置き式の多翼ファンにより吸気口から吸入した冷却風を電子基板と誘導加熱コイルに通風するものである。多翼ファンは一般に、ファンの大きさに対して風量と圧力を大きくとれることから室内の換気用途等に広く用いられている。
【０００８】
しかしながら図３に示すように、羽根車の回転方向と羽根の出口方向とが一致する前向き羽根であることから、羽根車出口の絶対速度Ｃ２が非常に大きくなる特性がある。誘導加熱調理器では、本体内の実装密度が高く、多翼ファンの出口直下に発熱密度の高い電子基板部品が設置される構造となる場合が多い。こうした場合、ファンケーシング内部の流れに悪影響が及ぼされたり、通風抵抗の増大、さらには局所的な騒音源になるといった課題があった。
【０００９】
また、多翼ファンでは一つの羽根車について吹出口は一つであるため、電子基板のうち発熱量の大きい部品の配置は、ただ一つの吹出口に集中し、電子基板部品配置の自由度に制約があるという課題があった。
【００１０】
さらに、軸流ファンに対してファンケーシングが大きく、特許文献２に開示されているように、誘導加熱調理器の前後方向に必要な設置スペースが大きくなるという課題があった。
【００１１】
本発明は、前記不具合を解決するものであり、特に騒音が小さく小型の送風構造を有した誘導加熱調理器を提供するものである。
【００１２】
さらに本発明は、電子基板部品の配置自由度を高めた誘導加熱調理器を提供するものである。
【課題を解決するための手段】
【００１３】
本発明は、本体の上面に被加熱容器を載置するトッププレートを配し、このトッププレートの下方に誘導加熱コイルを配し、該誘導加熱コイルを駆動する電子基板と、前記誘導加熱コイルと前記電子基板を冷却するファンとを本体内部に配した誘導加熱調理器において、前記ファンを、吸込口、羽根車、吹出口、ケーシング、ファンモータからなるターボファンで構成し、前記ファンの吸込口と吹出口の方向をファンの軸方向と一致する方向に配置し、前記吹出口は複数個あり、その下流側に電子基板を配置する構成とし、前記ファンの駆動によって前記吸込口に導かれた冷却風は、前記ファンモータにより駆動される前記羽根車によって運動量を与えられ、前記羽根車内で９０度流れの方向を偏向した後、前記ケーシング内でさらに９０度流れの方向を偏向し、複数個の前記吹出口から電子基板に供給するものである。
【発明の効果】
【００１４】
本発明によれば、電子基板の配置自由度を高めた上で、送風構造を低騒音に実現でき、水の浸入に対してもより安全性を高められるという効果を奏する。
【発明を実施するための最良の形態】
【００１５】
以下、本発明の実施例を、図面を参照して説明する。なお、図２以降においては、図１の実施例と共通する構成の一部を省略すると共に、重複する説明を省略する。各実施例の図における同一符号は、同一物又は相当物を示す。また同一物が二つ以上あり、これらを判別して説明した方が分かりやすい場合は、図中に表れない部分についても、数字の符号にａ、ｂ等の接尾辞を付け、他の場合は前記接尾辞を付けていない。
【００１６】
本実施例は、二つの誘導加熱部と、一つのヒータ加熱部と、一つのロースターとを備えた誘導加熱調理器を例にとって説明する。
【００１７】
先ず、本発明の一実施例の誘導加熱調理器の全体の構造について説明する。図１は本発明の一実施例の誘導加熱調理器の鍋を載置した外観斜視図であり、本発明に係る誘導加熱調理器、及び従来の誘導加熱調理器に共通した代表構造を示した図である。図４は本発明の一実施例の誘導加熱調理器において、トッププレート等を本体から取外した状態を示す図である。図５は本発明の一実施例の誘導加熱調理器において、電子基板とファンの実装を示した分解斜視図である。図６は本発明の一実施例の誘導加熱調理器において、右の誘導加熱部のほぼ中央で切断した内部側面図である。図７は本発明の一実施例の誘導加熱調理器において、高さ方向のほぼ中央で切断した分解斜視図である。
【００１８】
なお、図１は二つの鍋を左右の誘導加熱部上方のトッププレート上に載置している状態を示している。また図における矢印は冷却風を表している。以下、同様である。
【００１９】
図１、図４〜７において、１はトッププレートで、後記本体６の上面に設けられ、ガラス製で、後記鍋１５（１５ａ、１５ｂ）等の負荷を載置する。
【００２０】
２（２ａ、２ｂ）は誘導加熱コイルで、左右二つの誘導加熱部に対応して二つあり、高周波電流が流れることにより磁力線を発生し、負荷である後記鍋１５（１５ａ、１５ｂ）を加熱する。右の誘導加熱部に対応するものは２ａ、左の誘導加熱部に対応するものは２ｂとする。
【００２１】
３（３ａ、３ｂ）はコイルベースで、左右二つの誘導加熱部に対応して二つあり、前記誘導加熱コイル２（２ａ、２ｂ）を載置するものであり、右の誘導加熱部に対応するものは３ａ、左の誘導加熱部に対応するものは３ｂとする。
【００２２】
４（４ａ、４ｂ）はコイルユニットで、左右二つの誘導加熱部に対応して二つあり、誘導加熱コイル２（２ａ、２ｂ）とコイルベース３（３ａ、３ｂ）とから構成され、トッププレート１下方の手前左右に二つ設けられ、右の誘導加熱部に対応するものは４ａ、左の誘導加熱部に対応するものは４ｂとする。
【００２３】
６は誘導加熱調理器の本体である。７はファンで、ターボファンを用いており、本体６内部の奥側下部に設けられ、後記電子基板１０（１０ａ、１０ｂ、１０ｃ）を冷却後、誘導加熱コイル２を冷却する。ファン７は吸込み口３０、羽根車３１、吹出口３２（３２ａ、３２ｂ、３２ｃ）、ケーシング３３、ファンモータ３４とから構成される。
【００２４】
９は吸気口で、本体６上部の奥側に設けられ、本体６内部の冷却風の入口である。電子基板１０は複数の基板で構成され、コイルユニット４等を支持する板の下方に配置され、誘導加熱コイル２等を制御する。ここでは代表例として３枚の基板を用いた場合を示し、それぞれの電子基板を１０ａ、１０ｂ、１０ｃとする。１１は排気口で、本体６上部の奥側に設けられ、本体６内部の冷却風の出口である。
【００２５】
１５（１５ａ、１５ｂ）は鍋で、通常鉄などで形成され、食材を入れる容器であり、右の誘導加熱部に載置されるものは１５ａ、左の誘導加熱コイルに載置されるものは１５ｂとする。１６は電源スイッチで、機器全体の電源をオン、オフする。
【００２６】
１７ａ、１７ｂ、１７ｃは出力調節ツマミで、本体６の前面部に配置され、各々右の誘導加熱部、左の誘導加熱部、後記するラジアントヒータ２１に対応して、それぞれの出力を調節する。１８ａ、１８ｂは表示パネルで、右、左の誘導加熱部に対応して二つあり、トッププレート１上面手前に配置され、それぞれ右、左の誘導加熱部の出力を液晶で表示し、使用者に加熱出力の強さを伝達する。
【００２７】
１９はロースターで、本体６左下側に設けられ、ヒータ加熱式で、焼魚の調理等に用いられる。２０はトップフレームでトッププレート１を本体６に固定する。２１はラジアントヒータで、本体６内部奥側に設けられたヒータ加熱部であり、誘導加熱方式では加熱できない鍋１５、容器等での調理時に用いられる。
【００２８】
２２は通気口で、コイルユニット４ａ、４ｂ等を支持する板に設けられる開口であり、コイルユニット４ａ、４ｂの近傍に設けられる。通気口２２は、少なくとも１か所が右の通気口２２ａとして、右のコイルユニット４ａの下方近傍に設けられる。また、左の通気口２２ｂは必要に応じて設けられるもので、ロースター１９の配置に合わせて左のコイルユニット４ｂの下方や周囲の近傍に設けられる（左の通気口２２ｂは設けられない場合もある。）。
【００２９】
２３は第二の通気口で、コイルユニット４ａ、４ｂ等が配置された空間と排気口１１とを仕切る板に設けられる開口である。２４はロースター排気口で排気口１１に併設され、ロースター１９から発生する油煙等を排出する出口である。
【００３０】
以上の構成において、全体の動作を説明する。
【００３１】
鍋１５ａを右の誘導加熱部上、すなわち右の誘導加熱コイル２ａ上方のトッププレート１上に載置し、電源スイッチ１６をオンし、右の誘導加熱部に対応した出力調整つまみ１７ａを好みの出力に調節する。
【００３２】
すると電子基板１０は右の誘導加熱コイル２ａに高周波電流を流し、誘導加熱コイル２ａから磁力線を発生させ、鍋１５ａを加熱する。同時に、電子基板１０はファン７を駆動する。
【００３３】
駆動されたファン７は、吸気口９から外気を吸気し、冷却風を電子基板１０に吹き付け、これを冷却する。電子基板１０を冷却した冷却風は、上方に向かい、コイルユニット４等を支持する板に設けられた通気口２２を通り、コイルユニット４等が配置された空間に吹き出され、主に右のコイルユニット４ａすなわち誘導加熱コイル２ａに吹き付けられて、これを冷却し、その後、第二の通気口２３を通り、本体６上部の奥側に設けられた排気口１１に至り、排気口１１から外気に排気される。
【００３４】
次に、本発明に係るファン７の送風構造の実施例の詳細について説明する。
【００３５】
（第一の実施例）
図５、６、７は本発明の送風構造の第一の実施例の要部断面図で、ファン７と電子基板１０（１０ａ、１０ｂ）の近傍の断面を示したものである。
【００３６】
本体６の吸気口９から吸気された冷却風は、ファン７の吸込口３０に導かれ、ファンモータ３４により駆動される後ろ向きの羽根を持つ羽根車３１によって運動量を与えられ、羽根車３１内で９０度流れの方向を偏向した後、ケーシング３３内でさらに９０度流れの方向を偏向し、吹出口３２ａ、３２ｂから電子基板１０ａ、１０ｂに供給される。羽根車３１と電子基板１０側、また吸込口３０側とはケーシング３３により仕切られている。吸込口３０と吹出口３２ａ、３２ｂの方向はファン７の軸方向と一致する方向に配置される。
【００３７】
以上の構成にすることにより、遠心式で高い圧力が得られるターボファンを用いたファン７から速度分布の一様な流れが電子基板１０に供給されるため、多翼ファンのように吹出口３２直下の障害物の影響が羽根車３１に及びにくく、誘導加熱調理器の送風構造を低騒音で実現できる。
【００３８】
また、吹出口３２を複数有することから、電子基板１０上の発熱量の多い部品を、それぞれの吹出口３２ａ、３２ｂについて分散して配置できるため、従来のように１箇所に集中させる場合に対し、部品の配置の自由度が高められる効果が同時に得られる。
【００３９】
さらにファン７の吸込口３０と吹出口３２ａ、３２ｂの方向をファン７の軸方向と一致して配置することで、吸込口３０の面を、本体６の吸気口９の直下よりも本体６の手前側に位置する構成とすることが容易となる。
【００４０】
これにより万が一、鍋１５が転倒する等して吸気口９から水が侵入したとしても、ファン７に吸込まれるおそれを極めて小さくすることができる。さらにファン７の吸込口３０は、ターボファンの構成上必ず本体６の底面よりも高い位置にあるため、本体６の底面にたまった水をファン７が二次的に吸込むおそれを極めて小さくすることができる効果が得られる。
【００４１】
（第二の実施例）
図８は本発明の送風構造の第二の実施例の要部斜視図で、ファン７と電子基板１０（１０ａ、１０ｂ）の近傍の断面を示したものである。
【００４２】
本実施例では、送風構造の第一の実施例で示した実施形態と同様な構成において、図８に示すように、ファン７の吹出口３２ａ、３２ｂの下流に電子基板１０のうち発熱が大きい部品を搭載した電子基板１０ａ、１０ｂを集中して配置したものである。この実施例では吹出口３２の形状に基板の形状を合わせやすくできるように電子基板１０ａ、１０ｂを縦型に配置した場合を示した。発熱量の小さい電子基板１０ｃは電子基板１０ａ、１０ｂの間のスペースに設置する。
【００４３】
これにより特に発熱が大きくなる非磁性ステンレス鍋の加熱時等でも発熱部品の冷却が促進され安定した調理が実現できる効果が得られる。
【００４４】
（第三の実施例）
図９は本発明の送風構造の第三の実施例の要部斜視図で、ファン７と電子基板１０（１０ａ、１０ｂ）の近傍の断面を示したものである。
【００４５】
本実施例では、送風構造の第一、第二の実施例で示した実施形態と同様な構成において、図９に示すように、ファン７の吹出口３２の中の一つの吹出口３２ｃの下流にダクト３５を設けて、ファン７から誘導加熱コイル２に直接冷却風を導く構成としたものである。
【００４６】
これにより、冷却風の分配が容易となり、発熱が大きくなる非磁性ステンレス鍋の加熱時等でも誘導加熱コイル２の冷却が促進され安定した調理が実現できる効果が得られる。
【００４７】
以上の説明において、図９では左側誘導加熱コイル２ｂにだけ、ダクト３５を介して冷却風が導かれる場合を例にとったが、左側誘導加熱コイル２ｂに限るものではなく、ダクト３５を途中で分岐して右側誘導加熱コイル２ａにも同時に冷却風が供給される構成とした誘導加熱調理器にも適用できるものである。
【００４８】
（第四の実施例）
図１０、１１、１２、１３は本発明の送風構造の第四の実施例の要部断面図で、ファン７と電子基板１０（１０ａ、１０ｂ）の近傍の断面を示したものである。
【００４９】
本実施例では、送風構造の第一、二、三の実施例で示した実施形態と同様な構成において、図１０、１１、１２、１３に示すように、羽根車３１のハブ側ボス部にファンモータ３４を内蔵した構成としたものである。
【００５０】
これにより、羽根車３１のハブ側がファンモータ分大きくなり、羽根車３１内の流れに幾分影響が生じるものの、第一、二、三の実施の形態に対してファンモータ３４の設置スペースが大幅に縮小されるため、電子基板１０を設置できるスペースが増し、電子基板１０の配置自由度を高めることができる効果が得られる。
【００５１】
また、ファン７全体の大きさが小型化され、誘導加熱調理器本体６への実装性を向上することができる。
【図面の簡単な説明】
【００５２】
【図１】本発明の一実施例の誘導加熱調理器の鍋を載置した外観斜視図である。
【図２】軸流ファンの一般的な特性を示した図である。
【図３】多翼ファンとターボファンを比較した模式図である。
【図４】本発明の一実施例の誘導加熱調理器において、トッププレート等を本体から取り外した状態を示す図である。
【図５】本発明の第一の実施例の誘導加熱調理器において、電子基板とファンの実装を示した分解斜視図である。
【図６】本発明の第一の実施例の誘導加熱調理器において、右の誘導加熱部のほぼ中央で切断した内部側面図である。
【図７】本発明の第一の実施例の誘導加熱調理器において、高さ方向のほぼ中央で切断した分解斜視図である。
【図８】本発明の送風構造の第二の実施例の要部斜視図で、ファンと電子基板近傍の断面を示したものである。
【図９】本発明の送風構造の第三の実施例の要部斜視図で、ファンと電子基板近傍の断面を示したものである。
【図１０】本発明の第四の実施例の誘導加熱調理器において、電子基板とファンの実装を示した分解斜視図である。
【図１１】本発明の第四の実施例の誘導加熱調理器において、右の誘導加熱部のほぼ中央で切断した内部側面図である。
【図１２】本発明の第四の実施例の誘導加熱調理器において、高さ方向のほぼ中央で切断した分解斜視図である。
【図１３】本発明の第四の実施例の誘導加熱調理器において、電子基板とファンの実装を示した分解斜視図である。
【符号の説明】
【００５３】
１・・トッププレート
２（２ａ、２ｂ）・・誘導加熱コイル（右、左）
３（３ａ、３ｂ）・・コイルベース（右、左）
４（４ａ、４ｂ）・・コイルユニット（右、左）
６・・本体
７・・ファン
９・・吸気口
１０（１０ａ、１０ｂ、１０ｃ）・・電子基板
１１・・排気口
１５（１５ａ、１５ｂ）・・鍋（右、左）
１６・・電源スイッチ
１７（１７ａ、１７ｂ、１７ｃ）・・出力調節ツマミ（右、左、ラジアントヒータ）
１８（１８ａ、１８ｂ）・・表示パネル（右、左）
１９・・ロースター
２０・・トップフレーム
２１・・ラジアントヒータ
２２（２２ａ、２２ｂ）・・通気口（右、左）
２３・・第二の通気口
２４・・ロースター排気口
３０・・吸込口
３１・・羽根車
３２（３２ａ、３２ｂ、３２ｃ）・・吹出口（右、左）
３３・・ケーシング
３４・・ファンモータ
３５・・ダクト
【図１】
2008251545.tif 000003
【図２】
2008251545.tif 000004
【図３】
2008251545.tif 000005
【図４】
2008251545.tif 000006
【図５】
2008251545.tif 000007
【図６】
2008251545.tif 000008
【図７】
2008251545.tif 000009
【図８】
2008251545.tif 000010
【図９】
2008251545.tif 000011
【図１０】
2008251545.tif 000012
【図１１】
2008251545.tif 000013
【図１２】
2008251545.tif 000014
【図１３】
2008251545.tif 000015